(57)【要約】【課題】  簡単な構成をもって耐衝撃性を高めることができ、小型化に適した振動モータを提供する。【解決手段】  近年、振動モータ１の小型化の促進によって出力軸３が極めて細くなるといった事態が発生している。出力軸３が細くなると、分銅６の重さによって出力軸３が撓み易くなる。特に、振動モータ１の駆動中に落下などの強い衝撃が振動モータ１に加わると、分銅６の重さにより出力軸３の撓みが大きくなり、分銅６が機器（携帯電話の回路基板など）に衝突し、これによって出力軸３が強い衝撃を受けて塑性変形する。そして、出力軸３が塑性変形すると、安定した振動を発生させることができない場合がある。そこで、分銅形状の変更の自由度を高くしつつ、耐衝撃性の高いモータを達成するために、本発明では、分銅本体６Ａの外面に弾性部材６Ｂが設けられている。【選択図】  図２
2006224068.tif 000002
【特許請求の範囲】
【請求項１】
モータ本体の前端から突出した出力軸に分銅が偏心固定されてなる振動モータにおいて、
前記分銅には、金属からなる分銅本体の外面に弾性部材が設けられていることを特徴とする振動モータ。
【請求項２】
前記分銅本体は、断面略半円状又は略扇状をなし、前記分銅本体の前記外面には、略半円又は略扇状の前面、背面及び円周面の少なくとも一面に前記弾性部材が設けられていることを特徴とする請求項１記載の振動モータ。
【請求項３】
前記分銅本体は、断面略半円状又は略扇状をなし、前記分銅本体の前記外面には、略半円又は扇状の前面と円周面とで形成される前側コーナ部分に前記弾性部材が設けられていることを特徴とする請求項１記載の振動モータ。
【請求項４】
前記モータ本体は、弾性を有するホルダ内に収容されていることを特徴とする請求項１記載の振動モータ。
【発明の詳細な説明】
【技術分野】
【０００１】
本発明は、振動モータに係り、特に、振動発生源として利用されるものであり、例えば、携帯通信機器（携帯電話など）における呼び出し機能や遊技機器における体感機能として利用される小型の振動モータに関するものである。
【背景技術】
【０００２】
従来、このような分野の技術として、特許文献１〜３に開示されている。特許文献１に記載された振動モータの分銅は、出力軸の軸線方向に延在する第１の分銅延設部と第２の分銅延設部とを備えており、第１の分銅延設部は、軸受部を避けるような半円柱状に形成され、第２の分銅延設部は、モータハウジングを避けるような半円弧状に形成されている。このような分銅形状は、衝撃によって出力軸がどのような方向に曲がろうとも、分銅を回転し続けることができる。特許文献２に記載された振動モータの分銅は、出力軸の軸線に対して直交する方向に突出する曲がり防止体を有する。この曲がり防止体は、落下などの衝撃によって出力軸が折れ曲がることを防止している。特許文献３に記載された振動モータの分銅にも、出力軸の軸線に沿って突出する曲がり防止用突起が設けられている。
【０００３】
【特許文献１】特開２００２−０４５７９３号公報
【特許文献２】特開平０７−３３６９４１号公報
【特許文献３】特開平０８−１９６０５４号公報
【発明の開示】
【発明が解決しようとする課題】
【０００４】
しかしながら、前述した従来の振動モータに適用されている分銅は、モータが利用される状況に応じて、分銅自体の形状に様々な工夫が凝らされたものであるので、形状が複雑で複雑な加工を必要とし、分銅自体が大型化するので、小型化が求められているような機種（携帯電話など）への適用が難しいといった問題点がある。
【０００５】
本発明は、簡単な構成をもって耐衝撃性を高めることができ、小型化に適した振動モータを提供することを目的とする。
【課題を解決するための手段】
【０００６】
本発明に係る振動モータは、モータ本体の前端から突出した出力軸に分銅が偏心固定されてなる振動モータにおいて、分銅には、金属からなる分銅本体の外面に弾性部材が設けられていることを特徴とする。
【０００７】
近年、振動モータは、更なる小型化が求められており、振動モータの小型化の促進によって出力軸が極めて細くなるといった事態が発生している。出力軸が細くなると、分銅の重さによって出力軸が撓み易くなる。特に、振動モータの駆動中に落下などの強い衝撃が振動モータに加わると、分銅の重さにより出力軸の撓みが大きくなり、分銅が機器（携帯電話の回路基板など）に衝突し、これによって出力軸が強い衝撃を受けて塑性変形する。そして、出力軸が塑性変形すると、安定した振動を発生させることができない場合がある。そこで、分銅形状の変更の自由度を高くしつつ、耐衝撃性の高いモータを達成するために、本発明では、分銅本体の外面に弾性部材が設けられている。このような構成は、極めてシンプルではあるが、分銅における分銅本体と弾性部材との組み合わせに関して極めて斬新なものである。
【０００８】
また、分銅本体は、断面略半円状又は略扇状をなし、分銅本体の外面には、略半円又は略扇状の前面、背面及び円周面の少なくとも一面に弾性部材が設けられていると好適である。弾性部材を分銅本体のどの面に設けるかは、振動モータが適用される機種に応じて適宜選択されるものであるが、分銅本体の外表面を利用することで、弾性部材の固着が容易になる。
【０００９】
また、分銅本体は、断面略半円状又は略扇状をなし、分銅本体の外面には、略半円又は扇状の前面と円周面とで形成される前側コーナ部分に弾性部材が設けられていると好適である。分銅の前側コーナ部分は、機器（携帯電話など）内の回路基板に分銅が衝突し易い場所であるから、耐衝撃性に関して、少ない弾性材料をもって最大の効果を上げることができる。
【００１０】
また、モータ本体は、弾性を有するホルダ内に収容されていると好適である。モータが分銅によって振動する際、機器（例えば携帯電話）の筺体から不必要な振動音が発生しないようにするために、弾性ホルダ内にモータ本体を収容すると、強い衝撃によってモータ本体が上下左右に振れやすくなり、これによって、分銅が機器（携帯電話の基板など）に衝突し易くなる。従って、分銅本体の外面に弾性部材が設けられる上述した構成は、弾性ホルダ内にモータ本体が収容される場合に特に効果的である。
【発明の効果】
【００１１】
本発明によれば、簡単な構成をもって耐衝撃性を高めることができ、小型化に適した振動モータを可能にする。
【発明を実施するための最良の形態】
【００１２】
以下、図面を参照しつつ本発明に係る振動モータの好適な実施形態について詳細に説明する。
【００１３】
図１に示すように、振動モータ１は、コアードモータからなると共に、直径約４ｍｍで長さ約１０ｍｍの円筒形状の金属製モータケース２をもったモータ本体Ａを備え、小型化が図られている。モータケース２の内壁面には、Ｎ，Ｓ極をもった永久磁石からなる固定子が固定され、モータケース２の内部には、鉄芯にコイルが巻かれた回転子が収容されている。この回転子の中心には、軸受で支持された出力軸（シャフト）３が固定され、この出力軸３の先端部は、モータケース２の前端部分を貫通するように延在する。そして、モータ本体Ａにおいて、モータケース２の後端には、樹脂製のブラケット４が爪の折り曲げによって固定されている。
【００１４】
更に、モータケース２内において、出力軸３の後端には整流子が固定され、この整流子には一対のブラシが摺動接触している。各ブラシには、板状の通電端子が固定され、各通電端子の後端は、モータケース２の後端に設けられたブラケット４から突出させる。そして、出力軸３の先端部分には、断面略扇状の分銅６が加締め又は圧入され、分銅６は、出力軸３に偏心固定されている。なお、分銅６は断面略半円柱状であってもよい。従って、出力軸３の回転力で分銅６を振り回すことによって、モータケース２自体を振動させることができる。このような分銅付き振動モータ１は、携帯用小型無線呼出器や携帯電話等でその筺体を振動させて、利用者に着信を呼びかける機能として利用されている。
【００１５】
ここで、モータ本体Ａには、通電端子と回路基板７の所定の電気接点７ａとの電気的接続をワンタッチならしめるための板バネ製ターミナル８が左右に一対設けられている。各ターミナル８は、それぞれの通電端子に対応して設けられ、外部からの所定電圧をブラシに印加させるためのものである。各ターミナル８の基端は、各通電端子に半田を介して固定され、ターミナル８の一部はモータ本体Ａから外部に露出する。
【００１６】
このターミナル８は、所定形状に切断した薄いバネ板の折り曲げ加工により形成される。このターミナル８は、ブラケット４に固定される基端部８ａと、この基端部８ａから延びると共に片持ち支持状態で出力軸３の軸線Ｌに沿って略Ｕ字状に形成されて、出力軸３に対して略直交する方向に弾性力をもった弾性部８ｂとを有している。この基端部８ａは、ブラケット４に設けられた通電端子に半田を介して固定され、弾性部８ｂの一部は、回路基板７の所定の電気接点７ａとの電気的接続を可能にするためにモータ本体Ａの下面から露出する。
【００１７】
さらに、モータ本体Ａは、弾性を有するゴム製のホルダ１６によって覆われている。これにより、モータ１が分銅６によって振動する際、機器（例えば携帯電話）の筺体から不必要な振動音が発生しないようにしている。
【００１８】
このような振動モータ１を回路基板７上に配置させ、その状態で、図示しない機器（例えば携帯電話）の蓋などによって、矢印Ｚ方向にモータ１を上から押さえ込むことで、電気接点７ａへの半田付けの必要を無くすことができる。この場合、二点鎖線で示すように、ターミナル８が弾性変形し、所定の付勢力をもった状態で、ターミナル８と回路基板７の電気接点７ａとが確実に電気接続される。
【００１９】
このような振動モータ１にあっては、携帯電話などの小型の機器に利用され、更なる小型化が求められているが、振動モータ１の小型化の促進によって出力軸３が極めて細くなるといった事態が発生している。出力軸３が細くなると、分銅６の重さによって出力軸３が撓み易くなる。特に、振動モータ１の駆動中に落下などの強い衝撃が振動モータに加わると、分銅６の重さにより、直径１ｍｍ程度の出力軸３の撓みが大きくなり、分銅６が機器（携帯電話の回路基板７など）に衝突し、これによって出力軸３が強い衝撃を受けて塑性変形する。そして、出力軸３が塑性変形すると、安定した振動を発生させることができない場合がある。
【００２０】
そこで、分銅形状の変更の自由度を高くしつつ、耐衝撃性の高いモータを達成するために、図１及び図２に示すように、金属（例えばタングステン）からなる分銅本体６Ａは、断面扇状を有し、分銅本体６Ａの円周面６ａの全面には、シリコンゴムからなる弾性部材６Ｂが接着剤又は融着によって固定されている。このような位置に弾性部材６Ｂを設けることにより、図３に示すように、振動モータ１の駆動中に落下などの強い衝撃が振動モータ１に加わって、分銅６の重さにより出力軸３の撓みが大きくなって、分銅６が機器（携帯電話の回路基板７など）に衝突したとしても、強い衝撃を弾性部材６Ｂが吸収し、これによって、出力軸３が塑性変形する事態を回避させることができる。
【００２１】
特に、弾性ホルダ１６内にモータ本体Ａが収容されている場合、強い衝撃によってモータ本体Ａが上下左右に振れやすくなり、これによって、分銅６が機器（携帯電話の基板など）に衝突し易くなる。従って、分銅本体６Ａの円周面（外面）６ａに弾性部材６Ｂが設けられる上述した構成は、弾性ホルダ１６内にモータ本体Ａが収容される場合に特に効果的である。
【００２２】
本発明は、前述した実施形態に限定されないことは言うまでもなく、分銅の変形例について以下述べる。
【００２３】
図４及び図５に示すように、振動モータ１１において、分銅１０は、断面扇状の金属（例えばタングステン）からなる分銅本体１０Ａと、分銅本体１０Ａの扇状前面１０ａに固定されたシリコンゴムからなる弾性部材１０Ｂとを有する。このような分銅１０は、モータ１が機器（携帯電話など）におけるキャビネットの収容空間内に装填された場合、分銅本体１０Ａの前面１０ａがキャビネットの壁面Ｃに近接しているときに有効である。
【００２４】
図６及び図７に示すように、振動モータ２１において、分銅２０は、断面扇状の金属（例えばタングステン）からなる分銅本体２０Ａと、分銅本体２０Ａの扇状背面２０ａに固定されたシリコンゴムからなる弾性部材２０Ｂとを有する。このような分銅２０は、モータ１が機器（携帯電話など）におけるキャビネットの収容空間内に装填された場合、分銅本体２０Ａの背面２０ａがキャビネットの壁面Ｄに近接しているときに有効である。
【００２５】
図８及び図９に示すように、振動モータ３１において、分銅３０は、断面扇状の金属（例えばタングステン）からなる分銅本体３０Ａと、分銅本体３０Ａの扇状の前面３０ａ、背面３０ｂ及び円周面３０ｃに固定されたシリコンゴムからなる弾性部材３０Ｂとを有する。これは、分銅の汎用化を図る場合に適している。
【００２６】
図１０及び図１１に示すように、振動モータ４１において、分銅４０は、断面扇状の金属（例えばタングステン）からなる分銅本体４０Ａと、分銅本体４０Ａの前面４０ａと円周面４０ｂとで形成される前側コーナ部分Ｒに固定されたシリコンゴムからなる弾性部材４０Ｂとを有する。分銅４０の前側コーナ部分Ｒは、機器（携帯電話など）内の回路基板７に分銅４０が衝突し易い場所であるから、耐衝撃性に関して、少ない弾性材料をもって最大の効果を上げることができる。なお、前側コーナ部分Ｒは、弾性部材４０Ｂの収容を考慮して断面Ｌ字状の溝部４０ｃとして形成されている。
【図面の簡単な説明】
【００２７】
【図１】本発明に係る振動モータの第１の実施形態を示す断面図である。
【図２】図１のモータに適用する分銅の斜視図である。
【図３】振動モータに外力が加わった状態を示す断面図である。
【図４】本発明に係る振動モータの第２の実施形態を示す断面図である。
【図５】図４のモータに適用する分銅の斜視図である。
【図６】本発明に係る振動モータの第３の実施形態を示す断面図である。
【図７】図６のモータに適用する分銅の斜視図である。
【図８】本発明に係る振動モータの第４の実施形態を示す断面図である。
【図９】図８のモータに適用する分銅の斜視図である。
【図１０】本発明に係る振動モータの第４の実施形態を示す断面図である。
【図１１】図１０のモータに適用する分銅の斜視図である。
【符号の説明】
【００２８】
１，１１，２１，３１，４１…振動モータ、３…出力軸、６，１０，２０，３０，４０…分銅、６Ａ，１０Ａ，２０Ａ，３０Ａ，４０Ａ…分銅本体、６Ｂ，１０Ｂ，２０Ｂ，３０Ｂ，４０Ｂ…弾性部材、６ａ，３０ｃ，４０ｂ…円周面、１０ａ，３０ａ，４０ａ…前面、２０ａ，３０ｂ…背面、１６…ホルダ、Ａ…モータ本体、Ｒ…前側コーナ部分。
【図１】
2006224068.tif 000003
【図２】
2006224068.tif 000004
【図３】
2006224068.tif 000005
【図４】
2006224068.tif 000006
【図５】
2006224068.tif 000007
【図６】
2006224068.tif 000008
【図７】
2006224068.tif 000009
【図８】
2006224068.tif 000010
【図９】
2006224068.tif 000011
【図１０】
2006224068.tif 000012
【図１１】
2006224068.tif 000013